(57)【要約】【課題】記録メディア毎に、素材と編集情報を独立して消去および書き換え禁止にする制御を簡単に行うことのできるデータ記録装置を提供する。【解決手段】メディアの管理情報として、記録媒体全体に対して既に記録されているデータの消去および書き換えの禁止を設定するデータ保護フラグを記録する。その設定に応じて素材と編集情報に対してそれぞれ独立して消去および書き換え禁止の制御を行う。【選択図】  図４
2004241078.tif 000002
【特許請求の範囲】
【請求項１】
データを記録媒体に記録する記録装置において、記録されるデータは少なくとも、映像および音声の素材と、素材の編集情報と、記録媒体全体に対して既に記録されているデータの消去および書き換えの禁止を設定するデータ保護フラグであって、記録媒体に記録された前記データ保護フラグの設定に応じて前記素材と前記編集情報に対してそれぞれ独立して消去および書き換え禁止の制御を行うことを特徴とするデータ記録装置。
【請求項２】
前記データ保護フラグの設定は、全データ書き換え許可、素材のみ書き換え禁止、素材と編集情報ともに書き換え禁止、データ保護フラグ以外は追加記録および書き換え禁止の４状態であることを特徴とする請求項１記載のデータ記録装置。
【請求項３】
記録媒体に記録するデータの追加記録および書き換えの禁止を設定するライトプロテクトスイッチを前記記録媒体のカートリッジ上に有し、前記ライトプロテクトスイッチと前記データ保護フラグの設定の組み合わせによって、記録媒体へのデータ追加記録禁止および既に記録されているデータ保護の制御を行うことを特徴とする請求項１記載のデータ記録装置。
【請求項４】
記録されるデータのファイル毎に消去および書き換えの禁止を設定するファイル属性を有し、前記ファイル属性と前記データ保護フラグの設定の組み合わせによって、記録媒体へのデータ追加記録禁止および既に記録されているデータ保護の制御を行うことを特徴とする請求項１記載のデータ記録装置。
【請求項５】
データを記録媒体に記録する記録装置において、記録されるデータは少なくとも、映像および音声の素材と、素材の編集情報とであって、既に記録されているデータの消去および書き換えの禁止を設定するデータ保護スイッチを備え、前記データ保護スイッチの設定に応じて前記素材と前記編集情報に対してそれぞれ独立して消去および書き換え禁止の制御を行うことを特徴とするデータ記録装置。
【請求項６】
前記データ保護スイッチの設定は、全データ書き換え許可、素材のみ書き換え禁止、素材と編集情報ともに書き換え禁止、追加記録および全データ書き換え禁止の４状態であることを特徴とする請求項５記載のデータ記録装置。
【請求項７】
記録媒体に記録するデータの追加記録および書き換えの禁止を設定するライトプロテクトスイッチを前記記録媒体のカートリッジ上に有し、前記ライトプロテクトスイッチと前記データ保護スイッチの設定の組み合わせによって、記録媒体へのデータ追加記録禁止および既に記録されているデータ保護の制御を行うことを特徴とする請求項５記載のデータ記録装置。
【請求項８】
記録されるデータのファイル毎に消去および書き換えの禁止を設定するファイル属性を有し、前記ファイル属性と前記データ保護スイッチの設定の組み合わせによって、記録媒体へのデータ追加記録禁止および既に記録されているデータ保護の制御を行うことを特徴とする請求項５記載のデータ記録装置。
【発明の詳細な説明】
【０００１】
【発明の属する技術分野】
本発明は、光ディスクなどの記録媒体にデータを記録するデータ記録装置に関する。
【０００２】
【従来の技術】
映像や音声を記録する書き換え可能な記録メディアとして、光ディスクを記録媒体とするＤＶＤ−ＲＡＭがある。このようなランダムアクセス可能な記録媒体では、記録した映像や音声の素材から任意のシーンを選択し、それらの再生順序を示すプレイリストを作成することによって、情報量の大きい素材データを書き換えることなく、簡単にカット編集を行うことができる。このプレイリストは素材とともに記録することで、その記録メディアをどの再生機で再生しても作成したプレイリストに従った再生が可能である。
【０００３】
ＤＶＤ−ＲＡＭでは記録媒体である光ディスクはカートリッジ内に収納され、カートリッジに設けられたライトプロテクトのためのノッチがある。このライトプロテクトノッチのＯＮ／ＯＦＦによって、記録媒体への書き込みを禁止して、既に記録されたデータを保護することができる。
【０００４】
また、記録されたデータはファイル形式で管理され、各ファイル毎にその属性を読みとり専用に設定することによって、ファイル単位でデータの消去および書き換え禁止の設定をすることができる。
【０００５】
【特許文献１】
特開２００１−１４２７８４号公報
【０００６】
【発明が解決しようとする課題】
しかしながら、上記従来のデータ記録装置でのデータ保護制御は、記録メディア全体に対しての書き換え禁止と、ファイル単位での書き換え禁止のみである。このため、例えばある記録メディアを編集機で使用する場合には素材のみを消去・書き換え禁止にして編集情報は書き換え許可にし、その記録メディアをカメラレコーダのような記録専用機で使用する場合には素材と編集情報の両方を消去・書き換え禁止にするような制御を行うためには、全ての編集情報のファイル属性を書き換える必要がある。その結果、ファイルの数が多くなってくるとこのファイル属性処理に時間がかかることになる。また、編集機で使用するときに全ての編集情報のファイルを書き換え可能にすれば、ある編集作業中に別の重要な編集情報を誤って書き換えてしまう恐れがあるといった問題点があった。
【０００７】
本発明の目的は、記録メディア毎に、使用する機器やアプリケーションに応じて素材と編集情報とを独立して消去および書き換え禁止にする制御を、簡単に行うことのできるデータ記録装置を提供することである。
【０００８】
【課題を解決するための手段】
第１の発明は、データを記録媒体に記録する記録装置において、記録されるデータは少なくとも、映像および音声の素材と、素材の編集情報と、記録媒体全体に対して既に記録されているデータの消去および書き換えの禁止を設定するデータ保護フラグであって、記録媒体に記録された前記データ保護フラグの設定に応じて前記素材と前記編集情報に対してそれぞれ独立して消去および書き換え禁止の制御を行うことを特徴とする。
【０００９】
このような第１の発明によれば、データ保護フラグを書き換えることによって、簡単に素材と編集情報を独立して消去および書き換え禁止にすることができる。
【００１０】
第２の発明は、第１の発明において、前記データ保護フラグの設定は、全データ書き換え許可、素材のみ書き換え禁止、素材と編集情報ともに書き換え禁止、データ保護フラグ以外は追加記録および書き換え禁止の４状態であることを特徴とする。
【００１１】
このような第２の発明によれば、記録済みのデータを保護することなく上書きするような場合には全データ書き換え許可に設定、カット編集する場合には素材のみ書き換え禁止に設定、カメラレコーダ等で追記する場合は素材と編集情報ともに書き換え禁止、再生専用で使用する場合にはデータ保護フラグ以外は追加記録および書き換え禁止にするように、使用目的に合わせたデータ保護を記録メディア毎に簡単に行うことができる。
【００１２】
第３の発明は、第１の発明において、記録媒体に記録するデータの追加記録および書き換えの禁止を設定するライトプロテクトスイッチを前記記録媒体のカートリッジ上に有し、前記ライトプロテクトスイッチと前記データ保護フラグの設定の組み合わせによって、記録媒体へのデータ追加記録禁止および既に記録されているデータ保護の制御を行うことを特徴とする。
【００１３】
このような第３の発明によれば、素材と編集情報とに分けたデータ保護に加えて、記録メディア全体に対しての改変禁止はライトプロテクトスイッチで行うことができる。
【００１４】
第４の発明は、第１の発明において、記録されるデータのファイル毎に消去および書き換えの禁止を設定するファイル属性を有し、前記ファイル属性と前記データ保護フラグの設定の組み合わせによって、記録媒体へのデータ追加記録禁止および既に記録されているデータ保護の制御を行うことを特徴とする。
【００１５】
このような第４の発明によれば、素材と編集情報とに分けたデータ保護に加えて、特に重要なファイルの保護はファイル属性で行うことができる。
【００１６】
第５の発明は、データを記録媒体に記録する記録装置において、記録されるデータは少なくとも、映像および音声の素材と、素材の編集情報とであって、既に記録されているデータの消去および書き換えの禁止を設定するデータ保護スイッチを備え、前記データ保護スイッチの設定に応じて前記素材と前記編集情報に対してそれぞれ独立して消去および書き換え禁止の制御を行うことを特徴とする。
【００１７】
このような第５の発明によれば、データ保護スイッチを切り替えることによって、簡単に素材と編集情報を独立して消去および書き換え禁止にすることができる。
【００１８】
第６の発明は、第５の発明において、前記データ保護スイッチの設定は、全データ書き換え許可、素材のみ書き換え禁止、素材と編集情報ともに書き換え禁止、追加記録および全データ書き換え禁止の４状態であることを特徴とする。
【００１９】
このような第６の発明によれば、記録済みのデータを保護することなく上書きするような場合には全データ書き換え許可に設定、カット編集する場合には素材のみ書き換え禁止に設定、カメラレコーダ等で追記する場合は素材と編集情報ともに書き換え禁止、再生専用で使用する場合にはデータ保護フラグ以外は追加記録および書き換え禁止にするように、使用目的に合わせたデータ保護を機器毎に簡単に行うことができる。
【００２０】
第７の発明は、第５の発明において、記録媒体に記録するデータの追加記録および書き換えの禁止を設定するライトプロテクトスイッチを前記記録媒体のカートリッジ上に有し、前記ライトプロテクトスイッチと前記データ保護スイッチの設定の組み合わせによって、記録媒体へのデータ追加記録禁止および既に記録されているデータ保護の制御を行うことを特徴とする。
【００２１】
このような第７の発明によれば、素材と編集情報とに分けたデータ保護に加えて、記録メディア全体に対しての改変禁止はライトプロテクトスイッチで行うことができる。
【００２２】
第８の発明は、第５の発明において、記録されるデータのファイル毎に消去および書き換えの禁止を設定するファイル属性を有し、前記ファイル属性と前記データ保護スイッチの設定の組み合わせによって、記録媒体へのデータ追加記録禁止および既に記録されているデータ保護の制御を行うことを特徴とする。
【００２３】
このような第８の発明によれば、素材と編集情報とに分けたデータ保護に加えて、特に重要なファイルの保護はファイル属性で行うことができる。
【００２４】
【発明の実施の形態】
以下本発明の実施の形態について、図面を参照しながら説明する。
【００２５】
図１は、本発明の一実施形態におけるデータ記録装置の構成を示す。図１において、１はシステム制御部、２はバッファメモリ、３はＩ／Ｏバス、４は光ディスクドライブ、５はファイルの記録や再生を指示する入力手段、６は映像や音声信号を符号化するエンコーダ、７は映像や音声信号を復号するデコーダ、８は映像および音声信号の入力端子、９は映像および音声信号の出力端子、１０はディスクカートリッジのライトプロテクトスイッチの状態を検出する手段である。システム制御部１は例えばＣＰＵで実現され、各構成要素の動作制御、バス制御などシステム全系の制御と、ディスク上のファイルシステム管理などを行う。
【００２６】
図２は、本発明の第１の実施形態における記録データの階層構造の概念図であり、図３はクリップファイル、編集リスト、インデックスのそれぞれの内容の一例を示している。図２において、各要素は個別のファイルを表しており、各要素を結ぶノードが各ファイル間の関係を表している。
【００２７】
最下位階層にある素材レイヤに属する素材ファイルは、映像、音声、および記録時のＧＰＳ情報や機器の設定などのデータ情報であるメタデータである。これら素材ファイルは、従来からＰＣで用いられている一般的なファイル形式である。例えば映像はＡＶＩファイルであり映像データとタイムコード情報が符号化されている。オーディオはＷＡＶファイルやＭＰ３ファイル、メタデータはＸＭＬファイルである。
【００２８】
クリップレイヤに属するクリップファイルは、これら素材ファイルを関連づけたものであり、クリップファイルの中身には、それぞれのクリップを構成する素材ファイルのリストが記述されている。例えば、図３−（Ａ）で示すように、クリップファイル“００１．ｃｌｉｐ”には、映像ファイル“００１．ａｖｉ”、音声ファイル“００１．ｗａｖ”、メタデータ“００１．ｘｍｌ”が関連づけられている。これによって、再生時に例えば“００１．ｃｌｉｐ”を指定すれば、“００１．ａｖｉ”の映像と“００１．ｗａｖ”の音声が同時に再生され、メタデータを参照すれば“００１．ｘｍｌ”に書かれているデータが示される。このクリップファイルを書き換えたり、新たに作ることによって、各素材データの関連づけを変更することができ、例えば別々に記録された、映像ファイル“００１．ａｖｉ”と音声ファイル“００２．ｗａｖ”を１個のクリップとして関連づけて取り扱うこと等ができる。
【００２９】
編集レイヤに属する編集リストは、各クリップの再生順番と、それぞれのクリップの再生開始点および終了点を示している。図３−（Ｂ）に編集リスト“００１．ｅｄｌ”の内容の一例を示す。これは、１番目にクリップ“００２．ｃｌｉｐ”のタイムコード“００：０１：４８：２０”から“００：０２：３０：１１”の間を再生し、２番目にクリップ“００１．ｃｌｉｐ”のタイムコード“１０：５８：４０：０２”から“１１：０２：３７：１９”までを再生し、３番目にクリップ“００２．ｃｌｉｐ”のタイムコード“００：０２：３０：１２”から再生するということを示している。すなわち、この例では、クリップ“００２．ｃｌｉｐ”のある時点に、別のクリップ“００１．ｃｌｉｐ”をインサート編集する場合の編集リストになっている。再生時には、まず、編集リストに書かれている順番に従って、再生対象のクリップのクリップファイルから、再生すべき素材ファイルリストを読み込む。次に、ディスクをランダムアクセスして、素材ファイルを読み出し、映像ファイルからタイムコード情報を検出し、映像ファイルと音声ファイルの同期をとって、指定された再生開始点から再生終了点までを再生する。このように、編集リストを作成することで、複数のクリップから任意の区間を切り出して並べ替えるカット編集の機能を、素材データを変更することなしに実現できる。
【００３０】
最上位のディスクレイヤに属するインデックスは、ディスクに１個だけ存在するファイルであり、ディスクへの新たなデータ書き込み、消去、書き換え等を行って内容が改変される毎にインデックスファイルの内容も変更される。その内容の一例を図３−（Ｃ）に示す。このように、ディスクに記録されている全ての編集リストおよび全てのクリップファイルが書かれており、編集リストおよびクリップファイルの各々のファイルに対する書き換え禁止の属性をｒｅａｄｏｎｌｙとして書かれている。ここで、ｒｅａｄｏｎｌｙ＝１は書き換え禁止を表し、ｒｅａｄｏｎｌｙ＝０は書き換え許可を表している。そして、最後にディスクのデータ保護フラグが書かれている。このデータ保護フラグは、ディスクに既に記録されているデータの消去防止のために用いられる。データ保護フラグは２ｂｉｔのデータであり、このフラグの設定と、検出手段１０で検出されるディスクカートリッジのライトプロテクトスイッチの設定との組み合わせによって、データ保護の制御を行う。図４は、本発明の第１の実施形態におけるデータ保護規則を示したものである。カートリッジがライトプロテクトＯＮの設定になっているときは全データの消去、書き換えおよび追加記録を禁止する。ライトプロテクトがＯＦＦの設定になっているときや、光ディスクのみでカートリッジが無いメディアに記録する場合には、次のように、データ保護フラグの設定に従って素材と編集情報に分けてデータ保護を行う。データ保護フラグが“００”に設定されているときは、特にデータ保護は行わず、全ファイルの書き換えを許可する。“０１”に設定されているときは、図２におけるクリップレイヤと素材レイヤに属するファイルを書き換え禁止として新たなファイルの追加記録のみを許可し、それ以外の編集リスト等は書き換えを許可する。“１０”に設定されているときは、図２における編集レイヤ以下に属するファイルを書き換え禁止とし、新たなファイルの追加記録のみを許可する。“１１”に設定されているときは、データ保護フラグのみを書き換え許可とし、それ以外については消去、書き換え、追加記録を禁止する。
【００３１】
まず、カメラレコーダ等で記録する場合について説明する。入力手段５からの記録開始信号に従って記録処理が始まる。映像・音声入力端子８からの入力信号に対して、エンコーダ６において映像信号はＡＶＩファイル形式、音声信号はＷＡＶファイル形式にそれぞれ符号化される。また、入力手段５から入力される補助情報やタイムコードなどの付加データからシステム制御部１でメタデータが生成される。映像、音声、メタデータの各素材データは一旦バッファメモリ２に格納された後、所定のファイルヘッダが付加されて、一定のデータ量毎に光ディスクドライブ４にデータ転送されて記録メディアに記録される。入力手段５から記録停止信号が入力されると、バッファメモリ２に書き込まれている各素材データに、所定のファイルフッタを付加して光ディスクに記録する。このとき、これらの素材ファイルには、それぞれディスク内でユニークなファイル名が付加される。記録した映像、音声、メタデータの各素材ファイルのリストを表すクリップファイルを新たに生成し、インデックスのファイル情報を書き換えてディスクに記録する。このように、記録処理を行うとクリップレイヤと素材レイヤのファイルが新たに生成され、インデックスが書き換えられる。
【００３２】
次にカット編集を行う場合について説明する。カット編集の作業は、映像音声出力端子９に接続したモニタ上に編集状況を示し、編集作業者がこの編集状況を確認しながら、入力手段５からの編集操作を行うＧＵＩで行う。例えばまず、ディスクのインデックスに書かれている全クリップの中から、編集対象のクリップを選択し、再生を行う。これは、選択されたクリップに対応したクリップファイルに書かれている素材ファイル名に基づいて、各クリップの映像およびオーディオファイルを読み出してクリップ単位での再生を行うことで実現できる。次に選択されたクリップ内での再生開始および終了点の設定、再生順の設定等の作業が行われる。そして、編集作業終了時にはこの編集作業結果を示す編集リストのファイルが新たに生成されてディスクに記録され、インデックスが書き換えられる。
【００３３】
ファイルを消去する場合は、編集作業同様にＧＵＩで行い、映像音声出力端子９に接続したモニタもしくはカメラレコーダのビューファー上に、記録されているファイルリストを表示し、データ保護フラグやライトプロテクトスイッチの設定によって消去できるファイルのみを選択可能な状態にする。作業者は消去するファイルを確認して、入力手段５を介して選択する。選択されたファイルを消去する際、そのファイルに関連づけられている上位階層のファイルも消去もしくは書き換える。例えば、図２において素材レイヤの音声ファイル“００３．ｍｐ３”を消去する場合、クリップファイル“００３．ｃｌｉｐ”と編集リスト“００２．ｅｄｌ”も消去し、それに応じてインデックスを書き換える。また、例えば編集リスト“００１．ｅｄｌ”を消去する場合は、インデックスのみを書き換える。
【００３４】
このように、ディスク上にデータ保護フラグを記録してその設定値に応じてデータの消去禁止制御を行うことによって、例えば記録済みのメディアを編集機で使用する場合には、予めデータ保護フラグを“０１”にしておくことで、編集中に誤って素材データを消去してしまうことを防ぐことができ、カメラレコーダ等の記録機で使用する場合には、予めデータ保護フラグを“１０”に設定しておけば、既に記録されたデータは書き換えられることなく追記のみを行うことができる。従って、同一メディアを用いて編集と収録を交互に繰り返すような場合でも、編集情報の書き換え許可／禁止を簡単に設定することができる。
【００３５】
更に、データ保護フラグによって書き換え禁止になっていないファイルであっても、そのファイル自体の属性が読みとり専用になっていた場合には、消去および書き換えを禁止してもよい。例えば、図４において、カートリッジのライトプロテクトスイッチＯＦＦ、データ保護フラグ“０１”である場合に、ファイル属性が読みとり専用である編集情報は消去、および書き換え禁止にする。このようにすれば、編集作業が完了した編集情報は読みとり専用にすることによって、重要な編集情報は消去防止することができる。
【００３６】
図５は、本発明の第２の実施形態におけるデータ保護規則を示した表である。図５では、カートリッジのライトプロテクトがＯＮになっている場合には、データ保護フラグの設定よりもファイル属性の優先度が高くなり、ライトプロテクトＯＦＦでは逆にデータ保護フラグ設定が優先になるような規則を示している。この場合、ファイル属性が読みとり専用になっているファイルであっても、カートリッジのライトプロテクトがＯＦＦ、データ保護フラグが“００”または“０１”であれば消去することができる。このような、カートリッジのライトプロテクトスイッチ、データ保護フラグおよびファイル属性の組み合わせによるデータ保護規則は他にも様々なものが考えられる。
【００３７】
また、上記第１および第２の実施形態では、データ保護フラグをメディアに記録することによって、メディア毎に消去防止を設定する場合について説明したが、メディアには記録せず、外部からスイッチで設定してもよい。このようにすれば、機器もしくはアプリケーション毎に固有の設定をすることができる。例えばカメラレコーダで使用する場合はどのようなディスクに対しても追加記録のみに設定したり、編集機で編集中は編集情報のみを書き換える設定にし、再生時や記録時には設定変更したりすることが可能になる。これにより、収録、編集、再生の用途に応じたデータ保護を簡単に行うことができる。なお、スイッチでデータ保護を設定する場合でも、カートリッジのライトプロテクトや、ファイル属性と併用した様々な形態のデータ保護を実現することができる。
【００３８】
なお、上記本発明の実施形態において、記録メディアが光ディスクである場合について説明したが、上記の効果は光ディスクに限るものではなく、磁気ディスクや半導体メモリなど他のランダムアクセス可能な記録メディアに対しても有効であることは明らかである。
【００３９】
【発明の効果】
以上のように本発明によれば、データを記録媒体に記録する記録装置において、記録されるデータは少なくとも、映像および音声の素材と、素材の編集情報と、記録媒体全体に対して既に記録されているデータの消去および書き換えの禁止を設定するデータ保護フラグであって、記録媒体に記録されたデータ保護フラグの設定に応じて素材と編集情報に対してそれぞれ独立して消去および書き換え禁止の制御を行うことで、データ保護フラグを書き換えることによって、簡単に素材と編集情報を独立して消去および書き換え禁止にすることができる。
【００４０】
また、データを記録媒体に記録する記録装置において、記録されるデータは少なくとも、映像および音声の素材と、素材の編集情報とであって、既に記録されているデータの消去および書き換えの禁止を設定するデータ保護スイッチを備え、データ保護スイッチの設定に応じて素材と編集情報に対してそれぞれ独立して消去および書き換え禁止の制御を行うことで、データ保護スイッチを切り替えることによって、簡単に素材と編集情報を独立して消去および書き換え禁止にすることができる。
【００４１】
よって、本願の目的である、記録メディア毎に使用する機器やアプリケーションに応じて素材と編集情報とを独立して消去および書き換え禁止にする制御を簡単に行うことのできるデータ記録装置を実現することができる。
【図面の簡単な説明】
【図１】本発明の一実施形態における記録データの階層構造の概念図
【図２】本発明の一実施形態におけるデータ記録装置のブロック構成図
【図３】本発明の一実施形態におけるファイル内容の説明図
【図４】本発明の第１の実施形態におけるデータ保護規則表の図
【図５】本発明の第２の実施形態におけるデータ保護規則表の図
【符号の説明】
１  システム制御回部
２  バッファメモリ
３  Ｉ／Ｏバス
４  光ディスクドライブ
５  入力手段
６  エンコーダ
７  デコーダ
８  映像音声信号入力端子
９  映像音声信号出力端子
１０  ライトプロテクトスイッチ検出手段
【図１】
2004241078.tif 000003
【図２】
2004241078.tif 000004
【図３】
2004241078.tif 000005
【図４】
2004241078.tif 000006
【図５】
2004241078.tif 000007